(57)【要約】【課題】潤滑油保持性能を向上させ、かつ、摺動抵抗を低減し、振動や騒音、磨耗や発熱を低減するとともに、内部応力の集中を低減して亀裂等の発生を防止し疲労破壊を防止するチェーンを提供すること。【解決手段】複数のリンクプレート１１０、１２０が交互に屈曲可能に連結されてなるチェーン１００において、複数のリンクプレート１１０、１２０が板厚に直交する方向の面粗さを板厚方向の面粗さより良くするように形成された端面を有していること。【選択図】図１０
2011027222.tif 000002
【特許請求の範囲】
【請求項１】
複数のリンクプレートが交互に屈曲可能に連結されてなるチェーンにおいて、
前記複数のリンクプレートが、板厚に直交する方向の面粗さを板厚方向の面粗さより良くするように形成された端面を有していることを特徴とするチェーン。
【請求項２】
前記複数のリンクプレートが、プレス加工により形成されたプレス痕を除去する板厚方向に直交する方向の複数の平行な溝を追加工された溝加工端面を有していることを特徴とする請求項１に記載のチェーン。
【請求項３】
前記リンクプレートが、幅方向の少なくとも一方の側面の前後方向にスプロケットと係合する１対のプレート歯を有し、
前記溝加工端面が、前記１対のプレート歯の間の股底部に形成されていることを特徴とする請求項１または請求項２に記載のチェーン。
【請求項４】
前記リンクプレートが、幅方向の少なくとも一方の側面の前後方向にスプロケットと係合する１対のプレート歯を有し、
前記溝加工端面が、前記１対のプレート歯のスプロケットと接触する歯面部に形成されていることを特徴とする請求項１乃至請求項３のいずれかに記載のチェーン。
【請求項５】
前記股底部に形成された溝加工端面と歯面部に形成された溝加工端面が、一体的に連続していることを特徴とする請求項４に記載のチェーン。
【請求項６】
前記リンクプレートが、幅方向の少なくとも一方の側面に平坦部を有し、
前記溝加工端面が、前記平坦部に形成されていることを特徴とする請求項１乃至請求項５のいずれかに記載のチェーン。
【請求項７】
前記平坦部に形成された溝加工端面と歯面部に形成された溝加工端面が、一体的に連続していることを特徴とする請求項６に記載のチェーン。
【請求項８】
前記リンクプレートが、交互に連結されるため連結ピンを遊嵌する連結ピン孔を有し、  前記溝加工端面が、前記連結ピン孔の内周面に形成されていることを特徴とする請求項１乃至請求項７のいずれかに記載のチェーン。
【発明の詳細な説明】
【技術分野】
【０００１】
本発明は、複数のリンクプレートが交互に屈曲可能に連結されてなるチェーンに関し、例えば、エンジンルーム内のクランク軸とカム軸の夫々に設けたスプロケット間に無端懸回したサイレントチェーン等の伝動チェーンに関するものである。
【背景技術】
【０００２】
従来、複数のリンクプレートが交互に屈曲可能に連結されてなるチェーンにおいて、スプロケットに巻回して回転駆動した際に、振動や騒音を低減するとともに摩耗や発熱を低減し耐久性を向上させて小型軽量化を図るために、摺動部を構成するリンクプレートの端面の摺動抵抗を低減することが行われている。
【０００３】
このような公知のチェーンにおいて、リンクプレートの端面の摺動抵抗を低減するため、リンクプレートのチェーンガイド部材と摺接する端面に潤滑油保持用凹溝を設け、潤滑油の保持性を向上したものが知られている（例えば、特許文献１参照。）。
【先行技術文献】
【特許文献】
【０００４】
【特許文献１】特許第４１３７１４７号公報（第５頁乃至第８頁、図４、図５）
【発明の概要】
【発明が解決しようとする課題】
【０００５】
しかしながら、図１１に示すように、リンクプレート５１０の連結ピン孔５１２の内周面を含む全ての端面には、その製造加工工程、例えば、プレス機による打ち抜き加工工程時に、板厚方向の微細なスジ状のプレス痕５１９が形成されること等によって、板厚に直交する方向の面粗さが板厚方向の面粗さよりも悪くなることが不可避であった。
【０００６】
板厚に直交する方向は、リンクプレート５１０がスプロケットやチェーンガイドと摺動するチェーン長手方向や連結ピン孔５１２と連結ピンとの摺動方向であり、この板厚に直交する方向の面粗さが悪くなることで、摺動部を構成するリンクプレート５１０の端面の摺動抵抗が大きくなるという問題があった。
また、公知の潤滑油保持用凹溝では、当該板厚方向の微細なスジ状のプレス痕５１９等がリンクプレート５１０の端面が他の部材と摺接する際の摺動抵抗を増大させるという問題を解決することは困難であった。
【０００７】
さらに、リンクプレート５１０にはチェーン走行方向に係る引張力や１対のプレート歯５１１がスプロケットと係合する際にかかる曲げ力によって内部応力が発生するが、これらの力の方向が板厚方向の微細なスジ状のプレス痕５１９等のスジの方向と直交するため、内部応力が板厚方向の微細なスジ状のプレス痕５１９等の深い場所等に集中しやすく、亀裂等の発生の引き金となって疲労破壊が生じやすくなるという問題があった。
【０００８】
本発明は、前述したような従来技術の問題を解決するものであって、すなわち、本発明の目的は、潤滑油保持性能を向上させ、かつ、摺動抵抗を低減し、振動や騒音、磨耗や発熱を低減するとともに、内部応力の集中を低減して亀裂等の発生を防止し疲労破壊を防止するチェーンを提供することである。
【課題を解決するための手段】
【０００９】
本請求項１に係る発明は、複数のリンクプレートが交互に屈曲可能に連結されてなるチェーンにおいて、前記複数のリンクプレートが、板厚に直交する方向の面粗さを板厚方向の面粗さより良くするように形成された端面を有していることにより、前記課題を解決するものである。
【００１０】
本請求項２に係る発明は、請求項１に記載されたチェーンの構成に加えて、前記複数のリンクプレートが、プレス加工により形成されたプレス痕を除去する板厚方向に直交する方向の複数の平行な溝を追加工された溝加工端面を有していることにより、前記課題をさらに解決するものである。
【００１１】
本請求項３に係る発明は、請求項１または請求項２に記載されたチェーンの構成に加えて、前記リンクプレートが、幅方向の少なくとも一方の側面の前後方向にスプロケットと係合する１対のプレート歯を有し、前記溝加工端面が、前記１対のプレート歯の間の股底部に形成されていることにより、前記課題をさらに解決するものである。
【００１２】
本請求項４に係る発明は、請求項１乃至請求項３のいずれかに記載されたチェーンの構成に加えて、前記リンクプレートが、幅方向の少なくとも一方の側面の前後方向にスプロケットと係合する１対のプレート歯を有し、前記溝加工端面が、前記１対のプレート歯のスプロケットと接触する歯面部に形成されていることにより、前記課題をさらに解決するものである。
【００１３】
本請求項５に係る発明は、請求項４に記載されたチェーンの構成に加えて、前記股底部に形成された溝加工端面と歯面部に形成された溝加工端面が、一体的に連続していることにより、前記課題をさらに解決するものである。
【００１４】
本請求項６に係る発明は、請求項１乃至請求項５のいずれかに記載されたチェーンの構成に加えて、前記リンクプレートが、幅方向の少なくとも一方の側面に平坦部を有し、前記溝加工端面が、前記平坦部に形成されていることにより、前記課題をさらに解決するものである。
【００１５】
本請求項７に係る発明は、請求項６に記載されたチェーンの構成に加えて、前記平坦部に形成された溝加工端面と歯面部に形成された溝加工端面が、一体的に連続していることにより、前記課題をさらに解決するものである。
【００１６】
本請求項８に係る発明は、請求項１乃至請求項７のいずれかに記載されたチェーンの構成に加えて、前記リンクプレートが、交互に連結されるため連結ピンを遊嵌する連結ピン孔を有し、前記溝加工端面が、前記連結ピン孔の内周面に形成されていることにより、前記課題をさらに解決するものである。
【発明の効果】
【００１７】
本請求項１に係る発明のチェーンは、複数のリンクプレートが交互に屈曲可能に連結されてなるチェーンにおいて、複数のリンクプレートが、板厚に直交する方向の面粗さを板厚方向の面粗さより良くするように形成された端面を有していることにより、スプロケットやチェーンガイドと摺動するチェーン長手方向や連結ピン孔と連結ピンとの摺動方向である板厚に直交する方向の面粗さが良くなるため、摺動抵抗を減少させることができ、振動や騒音、磨耗や発熱を低減することができる。
【００１８】
本請求項２に係る発明のチェーンは、請求項１に係るチェーンが奏する効果に加えて、複数のリンクプレートが、プレス加工により形成されたプレス痕を除去する板厚方向に直交する方向の複数の平行な溝を追加工された溝加工端面を有していることにより、複数の平行な溝によってプレス痕が除去されるため、スプロケットやチェーンガイドと摺動するチェーン長手方向や連結ピン孔と連結ピンとの摺動方向である板厚に直交する方向の面粗さが良くなり、摺動抵抗を減少させることができるとともに、板厚方向に直交する方向の複数の平行な溝が潤滑油の保持凹部としても機能するため、潤滑油保持性能を向上することができ、摺動抵抗がさらに減少し、振動や騒音、磨耗や発熱を低減することができる。
【００１９】
本請求項３に係る発明のチェーンは、請求項１または請求項２に係るチェーンが奏する効果に加えて、リンクプレートが、幅方向の少なくとも一方の側面の前後方向にスプロケットと係合する１対のプレート歯を有し、溝加工端面が１対のプレート歯の間の股底部に形成されていることにより、チェーンの走行時にスプロケットとプレート歯が係合、離脱を繰り返すことにより最も応力の集中する１対のプレート歯の間の股底部のプレス痕が除去されているため、亀裂等の発生が防止され、疲労破壊を防止することができる。
【００２０】
本請求項４に係る発明のチェーンは、請求項１乃至請求項３のいずれかに係るチェーンが奏する効果に加えて、リンクプレートが、幅方向の少なくとも一方の側面の前後方向にスプロケットと係合する１対のプレート歯を有し、溝加工端面が１対のプレート歯のスプロケットと接触する歯面部に形成されていることにより、１対のプレート歯のスプロケットとの摺動面において複数の平行な溝がプレス痕を除去されており、摺動抵抗を減少させることができるとともに、板厚方向に直交する方向の複数の平行な溝が潤滑油の保持凹部としても機能するため、潤滑油保持性能を向上することができ、摺動抵抗がさらに減少し、振動や騒音、磨耗や発熱を低減することができる。
【００２１】
本請求項５に係る発明のチェーンは、請求項４に係るチェーンが奏する効果に加えて、股底部に形成された溝加工端面と歯面部に形成された溝加工端面が、一体的に連続していることにより、溝加工端面と溝加工されてない端面の境界個所が少なくなることで、応力集中しやすい加工境界個所の数を減少することができるため、亀裂等の発生がさらに防止され、疲労破壊を防止することができる。
また、溝加工端面の領域を増加させることにより、潤滑油保持性能をさらに向上することができ、摺動抵抗がさらに減少し、振動や騒音、磨耗や発熱を低減することができる。
【００２２】
本請求項６に係る発明のチェーンは、請求項１乃至請求項５のいずれかに係るチェーンが奏する効果に加えて、リンクプレートが、幅方向の少なくとも一方の側面に平坦部を有し、溝加工端面が平坦部に形成されていることにより、リンクプレートがチェーンガイド等に摺接してガイドされる際に摺動面となる平坦部において複数の平行な溝がプレス痕を除去されており、摺動抵抗を減少させることができるとともに、板厚方向に直交する方向の複数の平行な溝が潤滑油の保持凹部としても機能するため、潤滑油保持性能を向上することができ、摺動抵抗がさらに減少し、振動や騒音、磨耗や発熱を低減することができる。
【００２３】
本請求項７に係る発明のチェーンは、請求項６に係るチェーンが奏する効果に加えて、平坦部に形成された溝加工端面と歯面部に形成された溝加工端面が、一体的に連続していることにより、溝加工端面と溝加工されてない端面の境界個所が少なくなることで、応力集中しやすい加工境界個所の数を減少することができるため、亀裂等の発生がさらに防止され、疲労破壊を防止することができる。
また、溝加工端面の領域を増加させることにより、潤滑油保持性能をさらに向上することができ、摺動抵抗がさらに減少し、振動や騒音、磨耗や発熱を低減することができる。
【００２４】
本請求項８に係る発明のチェーンは、請求項１乃至請求項７のいずれかに係るチェーンが奏する効果に加えて、リンクプレートが、交互に連結されるため連結ピンを遊嵌する連結ピン孔を有し、溝加工端面が連結ピン孔の内周面に形成されていることにより、リンクプレートが屈曲する際に連結ピンと摺接する摺動面となる連結ピン孔の内周面において複数の平行な溝がプレス痕を除去されており、摺動抵抗を減少させることができるとともに、板厚方向に直交する方向の複数の平行な溝が潤滑油の保持凹部としても機能するため、潤滑油保持性能を向上することができ、屈曲抵抗が減少し、振動や騒音、磨耗や発熱を低減することができる。
【図面の簡単な説明】
【００２５】
【図１】本発明のチェーンが適用されるエンジンのタイミングシステムの説明図。
【図２】本発明の一実施例であるサイレントチェーンの斜視図。
【図３】図２の一部断面とした平面図。
【図４】本発明の第１実施例であるチェーンのリンクプレートの斜視図。
【図５】本発明の第２実施例であるチェーンのリンクプレートの斜視図。
【図６】本発明の第３実施例であるチェーンのリンクプレートの斜視図。
【図７】本発明の第４実施例であるチェーンのリンクプレートの斜視図。
【図８】本発明の第５実施例であるチェーンのリンクプレートの斜視図。
【図９】本発明の第６実施例であるチェーンのリンクプレートの斜視図。
【図１０】本発明の第７実施例であるチェーンのリンクプレートの斜視図。
【図１１】従来のチェーンのリンクプレートの斜視図。
【発明を実施するための形態】
【００２６】
本発明は、複数のリンクプレートが交互に屈曲可能に連結されてなるチェーンにおいて、複数のリンクプレートが、板厚に直交する方向の面粗さを板厚方向の面粗さより良くするように形成された端面を有しており、潤滑油保持性能が向上でき、かつ、摺動抵抗が低減され、振動や騒音、磨耗や発熱が低減されるとともに、内部応力の集中が低減されて亀裂等の発生が防止され、疲労破壊を防止することができるという効果を奏するものであれば、その具体的な実施態様は如何なるものであっても何ら構わない。
【００２７】
すなわち、本発明のチェーンは、複数のリンクプレートが交互に屈曲可能に連結されてなるものであれば、いかなる形状のチェーンであっても良い。
また、本発明の板厚に直交する方向の面粗さを板厚方向の面粗さより良くするように形成された端面は、いかなる加工方法で形成されても良く、チェーン製造最終工程で行われるプルーフ工程（チェーンを大きな荷重で実走行同様に移動させてリンクプレート端面をスプロケット、ガイド等に圧接して面粗さを向上する仕上げ工程）で形成されても良く、転造、鍛造、切削、研削等の加工で形成されても良い。特に、加工後に平行な溝が形成されるよう加工されるのが好適である。
【００２８】
本発明のチェーン１００は、例えばエンジンのタイミングシステムに使用される。
エンジンのタイミングシステムは、図１に示すように、エンジンルーム内のクランク軸に取付けた駆動スプロケットＳ１とカム軸に取付けた一対の従動スプロケットＳ２、Ｓ３間に無端懸回したチェーン１００を用いて、チェーン１００の張力を適正に保持してチェーン１００をガイドするテンショナレバーＴとチェーン１００の走行を案内する固定ガイド部材Ｇとが押接される。
【００２９】
テンショナレバーＴは、エンジンルームに取付軸Ｂで揺動自在に取付けられ、エンジンルームに取付部材Ｆによって固定されたハウジング内のプランジャＰにより押圧付勢されており、固定ガイド部材Ｇはエンジンルームに取付軸Ｂ１、Ｂ２で固定されている。
【００３０】
以下に、本発明の一実施例であるサイレントチェーンとして構成されたチェーンについて、図面に基づいて説明する。
チェーン１００は、図２、図３に示すように、複数の中間リンクプレート１１０の連結ピン孔１１２と複数の内リンクプレート１２０の連結ピン孔１２２が交互に配置されて連結ピン１３０が緩挿され、この連結ピン１３０の両端が複数の中間リンクプレート１１０の両最外に配置されたガイドプレート１４０の連結ピン孔１４１に嵌合固定されることにより形成され、連結ピン１３０を軸として複数の内リンクプレート１２０が回動することで自由に屈曲する。
【００３１】
中間リンクプレート１１０および内リンクプレート１２０の一方の端面にはそれぞれ前後方向に１対のプレート歯１１１、１２１が設けられており、チェーン１００がスプロケットに巻き掛けられた際に、該中間リンクプレート１１０および内リンクプレート１２０のプレート歯１１１、１２１がスプロケットの歯と当接するように構成されている。
また、中間リンクプレート１１０および内リンクプレート１２０の他方の端面はおよびガイドプレート１４０の一方の端面は平坦部を形成しており、チェーンガイドＧやテンショナレバーＴと摺接するように構成されている。
【実施例１】
【００３２】
本実施例の中間リンクプレート１１０は、図４に示すように、前後方向１対のプレート歯１１１の間の股底部１１３に、プレス加工により形成されたプレス痕を除去する板厚方向に直交する方向の複数の平行な溝が追加工されて溝加工端面を形成しており、それ以外の端面は溝の追加工がされていない端面とされている。
【００３３】
このことにより、チェーン１００の走行時にスプロケットとプレート歯１１１が係合、離脱を繰り返すことにより最も応力の集中する１対のプレート歯１１１の間の股底部１１３のプレス痕が除去されているため、亀裂等の発生が防止され、疲労破壊を防止することができる。
【実施例２】
【００３４】
本実施例の中間リンクプレート１１０は、図５に示すように、前後方向１対のプレート歯１１１の間の股底部１１３に、プレス加工により形成されたプレス痕を除去する板厚方向に直交する方向の複数の平行な溝が追加工されて溝加工端面を形成するとともに、前後方向１対のプレート歯１１１のスプロケットと接触する歯面部１１４にも、同様に複数の平行な溝が追加工されて溝加工端面を形成しており、それ以外の端面は溝の追加工がされていない端面とされている。
【００３５】
このことにより、チェーン１００の走行時にスプロケットとプレート歯１１１が係合、離脱を繰り返すことにより最も応力の集中する１対のプレート歯１１１の間の股底部１１３のプレス痕が除去されているため、亀裂等の発生が防止され、疲労破壊を防止することができ、かつ、スプロケットと接触する歯面部１１４のプレス痕を除去されており、摺動抵抗を減少させることができるとともに、板厚方向に直交する方向の複数の平行な溝が潤滑油の保持凹部としても機能するため、潤滑油保持性能を向上することができ、摺動抵抗がさらに減少し、振動や騒音、磨耗や発熱を低減することができる。
【００３６】
また、股底部１１３に形成された溝加工端面と歯面部１１４に形成された溝加工端面が、一体的に連続して形成されており、応力集中しやすい加工境界個所の数を減少することができるため、亀裂等の発生がさらに防止され、疲労破壊を防止することができる。
【実施例３】
【００３７】
本実施例の中間リンクプレート１１０は、図６に示すように、前後方向１対のプレート歯１１１の間の股底部１１３に、プレス加工により形成されたプレス痕を除去する板厚方向に直交する方向の複数の平行な溝が追加工されて溝加工端面を形成し、前後方向１対のプレート歯１１１のスプロケットと接触する歯面部１１４にも同様に複数の平行な溝が追加工されて溝加工端面を形成しており、さらに、プレート歯１１１を有する側面とは幅方向反対側の側面の平坦部１１５にも同様に複数の平行な溝が追加工されて溝加工端面を形成している。
【００３８】
このことにより、チェーン１００の走行時にスプロケットとプレート歯１１１が係合、離脱を繰り返すことにより最も応力の集中する１対のプレート歯１１１の間の股底部１１３のプレス痕が除去されているため、亀裂等の発生が防止され、疲労破壊を防止することができ、かつ、スプロケットと接触する歯面部１１４のプレス痕を除去されており、摺動抵抗を減少させることができるとともに、板厚方向に直交する方向の複数の平行な溝が潤滑油の保持凹部としても機能するため、潤滑油保持性能を向上することができ、摺動抵抗がさらに減少し、振動や騒音、磨耗や発熱を低減することができる。
【００３９】
また、チェーンガイドＧやテンショナレバーＴと摺接する平坦部１１５のプレス痕を除去されており、摺動抵抗を減少させることができるとともに、板厚方向に直交する方向の複数の平行な溝が潤滑油の保持凹部としても機能するため、潤滑油保持性能を向上することができ、摺動抵抗がさらに減少し、振動や騒音、磨耗や発熱を低減することができる。
【００４０】
さらに、股底部１１３に形成された溝加工端面、歯面部１１４に形成された溝加工端面および平坦部１１５に形成された溝加工端面が、一体的に連続して形成されており、すなわち、中間リンクプレート１１０の外周の端面全てが溝加工端面とされていることで、応力集中しやすい加工境界個所を無くすことができるため、亀裂等の発生がさらに防止され、疲労破壊を防止することができる。
【実施例４】
【００４１】
本実施例の内リンクプレート１２０は、図７に示すように、連結ピン１３０を遊嵌する連結ピン孔１２２の内周面１２６に、プレス加工により形成されたプレス痕を除去する板厚方向に直交する方向の複数の平行な溝が追加工されて溝加工端面を形成しており、それ以外の端面は溝の追加工がされていない端面とされている。
【００４２】
このことにより、チェーン１００が走行時に屈曲した際に連結ピン１３０と摺接する摺動面となる連結ピン孔１２２の内周面１２６のプレス痕が除去され摺動抵抗を減少させることができるとともに、複数の平行な溝が潤滑油の保持凹部としても機能するため、潤滑油保持性能を向上することができ、屈曲抵抗が減少し、振動や騒音、磨耗や発熱を低減することができる。
【実施例５】
【００４３】
本実施例の内リンクプレート１２０は、図８に示すように、連結ピン１３０を遊嵌する連結ピン孔１２２の内周面１２６に、プレス加工により形成されたプレス痕を除去する板厚方向に直交する方向の複数の平行な溝が追加工されて溝加工端面を形成し、さらに、前後方向１対のプレート歯１２１の間の股底部１２３に同様に複数の平行な溝が追加工されて溝加工端面を形成しており、それ以外の端面は溝の追加工がされていない端面とされている。
【００４４】
このことにより、チェーン１００が走行時に屈曲した際に連結ピン１３０と摺接する摺動面となる連結ピン孔１２２の内周面１２６のプレス痕が除去され摺動抵抗を減少させることができるとともに、複数の平行な溝が潤滑油の保持凹部としても機能するため、潤滑油保持性能を向上することができ、屈曲抵抗が減少し、振動や騒音、磨耗や発熱を低減することができる。
【００４５】
さらに、チェーン１００の走行時にスプロケットとプレート歯１２１が係合、離脱を繰り返すことにより最も応力の集中する１対のプレート歯１２１の間の股底部１２３のプレス痕が除去されているため、亀裂等の発生が防止され、疲労破壊を防止することができる。
【実施例６】
【００４６】
本実施例の内リンクプレート１２０は、図９に示すように、連結ピン１３０を遊嵌する連結ピン孔１２２の内周面１２６に、プレス加工により形成されたプレス痕を除去する板厚方向に直交する方向の複数の平行な溝が追加工されて溝加工端面を形成し、前後方向１対のプレート歯１２１の間の股底部１２３に同様に複数の平行な溝が追加工されて溝加工端面を形成するとともに、前後方向１対のプレート歯１２１のスプロケットと接触する歯面部１２４にも同様に複数の平行な溝が追加工されて溝加工端面を形成しており、それ以外の端面は溝の追加工がされていない端面とされている。
【００４７】
このことにより、チェーン１００が走行時に屈曲した際に連結ピン１３０と摺接する摺動面となる連結ピン孔１２２の内周面１２６のプレス痕が除去され摺動抵抗を減少させることができるとともに、複数の平行な溝が潤滑油の保持凹部としても機能するため、潤滑油保持性能を向上することができ、屈曲抵抗が減少し、振動や騒音、磨耗や発熱を低減することができる。
【００４８】
また、チェーン１００の走行時にスプロケットとプレート歯１２１が係合、離脱を繰り返すことにより最も応力の集中する１対のプレート歯１２１の間の股底部１２３のプレス痕が除去されているため、亀裂等の発生が防止され、疲労破壊を防止することができ、かつ、スプロケットと接触する歯面部１２４のプレス痕を除去されており、摺動抵抗を減少させることができるとともに、板厚方向に直交する方向の複数の平行な溝が潤滑油の保持凹部としても機能するため、潤滑油保持性能を向上することができ、摺動抵抗がさらに減少し、振動や騒音、磨耗や発熱を低減することができる。
【００４９】
さらに、股底部１２３に形成された溝加工端面と歯面部１２４に形成された溝加工端面が、一体的に連続して形成されており、応力集中しやすい加工境界個所の数を減少することができるため、亀裂等の発生がさらに防止され、疲労破壊を防止することができる。
【実施例７】
【００５０】
本実施例の内リンクプレート１２０は、図１０に示すように、連結ピン１３０を遊嵌する連結ピン孔１２２の内周面１２６に、プレス加工により形成されたプレス痕を除去する板厚方向に直交する方向の複数の平行な溝が追加工されて溝加工端面を形成し、前後方向１対のプレート歯１２１の間の股底部１２３に同様に複数の平行な溝が追加工されて溝加工端面を形成し、前後方向１対のプレート歯１２１のスプロケットと接触する歯面部１２４にも同様に複数の平行な溝が追加工されて溝加工端面を形成しており、さらに、プレート歯１２１を有する側面とは幅方向反対側の側面の平坦部１２５にも同様に複数の平行な溝が追加工されて溝加工端面を形成している。
【００５１】
このことにより、チェーン１００が走行時に屈曲した際に連結ピン１３０と摺接する摺動面となる連結ピン孔１２２の内周面１２６のプレス痕が除去され摺動抵抗を減少させることができるとともに、複数の平行な溝が潤滑油の保持凹部としても機能するため、潤滑油保持性能を向上することができ、屈曲抵抗が減少し、振動や騒音、磨耗や発熱を低減することができる。
【００５２】
また、チェーン１００の走行時にスプロケットとプレート歯１２１が係合、離脱を繰り返すことにより最も応力の集中する１対のプレート歯１２１の間の股底部１２３のプレス痕が除去されているため、亀裂等の発生が防止され、疲労破壊を防止することができ、かつ、スプロケットと接触する歯面部１２４のプレス痕を除去されており、摺動抵抗を減少させることができるとともに、板厚方向に直交する方向の複数の平行な溝が潤滑油の保持凹部としても機能するため、潤滑油保持性能を向上することができ、摺動抵抗がさらに減少し、振動や騒音、磨耗や発熱を低減することができる。
【００５３】
また、チェーンガイドＧやテンショナレバーＴと摺接する平坦部１２５のプレス痕を除去されており、摺動抵抗を減少させることができるとともに、板厚方向に直交する方向の複数の平行な溝が潤滑油の保持凹部としても機能するため、潤滑油保持性能を向上することができ、摺動抵抗がさらに減少し、振動や騒音、磨耗や発熱を低減することができる。
【００５４】
さらに、股底部１２３に形成された溝加工端面、歯面部１２４に形成された溝加工端面および平坦部１２５に形成された溝加工端面が、一体的に連続して形成されており、すなわち、内リンクプレート１２０の外周の端面全てが溝加工端面とされていることで、応力集中しやすい加工境界個所を無くすことができるため、亀裂等の発生がさらに防止され、疲労破壊を防止することができる。
【００５５】
以上説明したように、本発明のチェーンによれば、潤滑油保持性能が向上でき、かつ、摺動抵抗が低減され、振動や騒音、磨耗や発熱が低減されるとともに、内部応力の集中が低減されて亀裂等の発生が防止され、疲労破壊を防止することができるなど、その効果は甚大である。
【００５６】
なお、ガイドプレート１４０の一方の端面のチェーンガイドＧやテンショナレバーＴと摺接する平坦部も、プレス加工により形成されたプレス痕を除去する板厚方向に直交する方向の複数の平行な溝を追加工された溝加工端面としても良い。
【００５７】
また、ローラーチェーンやブシュチェーンのリンクプレートにおいて、リンクプレートの構成部材と摺接する端面を、プレス加工により形成されたプレス痕を除去する板厚方向に直交する方向の複数の平行な溝を追加工された溝加工端面としても良い。
【００５８】
さらに、幅方向の両側面にプレート歯を有するサイレントチェーンのリンクプレートにおいて、その股底部、歯面部あるいは連結ピン孔の内周面をプレス加工により形成されたプレス痕を除去する板厚方向に直交する方向の複数の平行な溝を追加工された溝加工端面としても良い。
【符号の説明】
【００５９】
１００          ・・・チェーン
１１０          ・・・中間リンクプレート
５１０  ・・・リンクプレート
１１１、５１１  ・・・プレート歯
１１２、５１２  ・・・連結ピン孔
１１３          ・・・股底部
１１４          ・・・歯面部
１１５          ・・・平坦部
５１９  ・・・プレス痕
１２０          ・・・内リンクプレート
１２１          ・・・プレート歯
１２２          ・・・連結ピン孔
１２３          ・・・股底部
１２４          ・・・歯面部
１２５          ・・・平坦部
１２６          ・・・連結ピン孔内周面
１３０          ・・・連結ピン
１４０          ・・・ガイドプレート
１４１          ・・・連結ピン孔
【図１】
2011027222.tif 000003
【図２】
2011027222.tif 000004
【図３】
2011027222.tif 000005
【図４】
2011027222.tif 000006
【図５】
2011027222.tif 000007
【図６】
2011027222.tif 000008
【図７】
2011027222.tif 000009
【図８】
2011027222.tif 000010
【図９】
2011027222.tif 000011
【図１０】
2011027222.tif 000012
【図１１】
2011027222.tif 000013